(57)【要約】      （修正有）【課題】免震構造物について、ダンパーを所望の姿勢に容易に設置できるダンパーの接合構造を提供する。【解決手段】ダンパーの接合構造１は、上部構造体から略鉛直に延びる上部ブラケット３３と、この上部ブラケット３３の先端に接合部材５０を介して取り付けられてかつ１つの水平面内で互いに略直交して延びる一対のオイルダンパー４０Ａ、４０Ｂと、を備え、接合部材５０は、上部ブラケット３３の互いに背中合わせとなるフランジ３４の表面に接合される一対の板状の接合片５１Ａ、５１Ｂと、この一対の接合片５１Ａ、５１Ｂ同士を連結する板状の連結片５２と、を備え、一方の接合片５１Ａには、オイルダンパー４０Ａが接合され、連結片５２には、オイルダンパー４０Ｂが接合される。【選択図】図３
2015090003.tif 000002
【特許請求の範囲】
【請求項１】
下部構造体と、当該下部構造体の上に相対移動可能に設けられた上部構造体と、を備える免震構造物について、前記下部構造体および前記上部構造体に連結されたダンパーの接合構造であって、
前記下部構造体あるいは前記上部構造体から略鉛直に延びるブラケットと、
当該ブラケットの先端に接合部材を介して取り付けられてかつ１つの水平面内で互いに略直交して延びる一対のダンパーと、を備え、
前記接合部材は、前記ブラケットの互いに背中合わせとなる二側面に接合される一対の板状の接合片と、当該一対の接合片同士を連結する板状の連結片と、を備え、
前記一対の接合片のうちの一方には、前記一対のダンパーのうちの一方が接合され、
前記連結片には、前記一対のダンパーのうちの他方が接合されることを特徴とするダンパーの接合構造。
【請求項２】
前記ブラケットまたは前記接合部材には、長孔が形成され、
前記一方の接合片と前記一方のダンパーとは、当該長孔に挿通された固定部材で接合されることを特徴とする請求項１に記載のダンパーの接合構造。
【発明の詳細な説明】
【技術分野】
【０００１】
本発明は、ダンパーの接合構造に関する。詳しくは、免震構造物に設けられたオイルダンパーの接合構造に関する。
【背景技術】
【０００２】
従来より、免震装置を介して上部構造体を下部構造体で支持する免震構造が知られている。この免震装置は、例えば、積層ゴムおよびオイルダンパーで構成され、この免震装置により、大きな地震が発生しても、免震装置より上の部分の外観、内装、設備などが大きく損傷するのを防止できる（特許文献１参照）。
【０００３】
積層ゴムは、下部構造体に固定される下側のフランジと、この下側のフランジの上に設けられた積層ゴムと、この積層ゴムの上に設けられて上部構造体に固定される上側のフランジと、を備える。
この積層ゴムによれば、積層ゴムが変形することで、上部構造体を下部構造体に対して水平方向にスライドさせる。
【０００４】
また、下部構造体には、上方に延びる下部ブラケットが設けられており、上部構造体には、下方に延びる上部ブラケットが設けられている。
オイルダンパーは、上部ブラケットに固定されるシリンダと、このシリンダに進退可能に収容されて下部ブラケットに固定されるピストンロッドと、を備える。このシリンダ内には、オイルが充填されている。
【０００５】
このオイルダンパーによれば、地震動に伴ってピストンロッドが進退すると、このピストンロッドの進退運動に対して粘性体であるオイルが抵抗することで、下部構造体から上部構造体に伝わる地震動を減衰する。
【０００６】
ところで、以上のオイルダンパーは、１つの水平面内に略直交して配置される。具体的には、例えば、１本の上部ブラケットあるいは下部ブラケットに２本のオイルダンパーが接続される。このように一対のオイルダンパーを１つの水平面内に略直交して配置することにより、全ての水平方向の揺れに対応できる。
【先行技術文献】
【特許文献】
【０００７】
【特許文献１】特開２０１１−９４７０８号公報
【発明の概要】
【発明が解決しようとする課題】
【０００８】
以上の免震構造の建物を構築する際、まず、基礎を構築し、この基礎の上に積層ゴムやオイルダンパーなどの免震装置を設置して、その後、この免震装置の上に下層から上層に向かって建物本体を構築する。
上述のように、全ての水平方向の揺れに対応するためには、オイルダンパーを略水平に設置することが重要である。しかしながら、免震装置の設置時にオイルダンパーを略水平に設置しても、その後、建物本体の荷重が変化して、上部ブラケットの下部ブラケットに対する相対位置が変化し、その結果、オイルダンパーの姿勢が水平でなくなる場合があった。
【０００９】
本発明は、免震構造物について、ダンパーを所望の姿勢に容易に設置できるダンパーの接合構造を提供することを目的とする。
【課題を解決するための手段】
【００１０】
請求項１に記載のダンパーの接合構造（例えば、後述のダンパーの接合構造１）は、下部構造体（例えば、後述の下部構造体２０）と、当該下部構造体の上に相対移動可能に設けられた上部構造体（例えば、後述の上部構造体３０）と、を備える免震構造物（例えば、後述の免震建物１０）について、前記下部構造体および前記上部構造体に連結されたダンパー（例えば、後述のオイルダンパー４０Ａ、４０Ｂ）の接合構造であって、前記下部構造体あるいは前記上部構造体から略鉛直に延びるブラケット（例えば、後述の上部ブラケット３３）と、当該ブラケットの先端に接合部材（例えば、後述の接合部材５０）を介して取り付けられてかつ１つの水平面内で互いに略直交して延びる一対のダンパー（例えば、後述のオイルダンパー４０Ａ、４０Ｂ）と、を備え、前記接合部材は、前記ブラケットの互いに背中合わせとなる二側面（例えば、後述のフランジ３４の表面）に接合される一対の板状の接合片（例えば、後述の接合片５１Ａ、５１Ｂ）と、当該一対の接合片同士を連結する板状の連結片（例えば、後述の連結片５２）と、を備え、前記一対の接合片のうちの一方（例えば、後述の接合片５１Ａ）には、前記一対のダンパーのうちの一方（例えば、後述のオイルダンパー４０Ａ）が接合され、前記連結片には、前記一対のダンパーのうちの他方（例えば、後述のオイルダンパー４０Ｂ）が接合されることを特徴とする。
【００１１】
この発明によれば、一方のダンパーを接合片に接合し、他方のダンパーを連結片に接合する。したがって、ブラケットに対する接合部材の取り付け位置を調整することで、上部構造体の施工の進捗に伴ってブラケットの位置が変化しても、ダンパーを所望の姿勢に設置できる。
【００１２】
請求項２に記載のダンパーの接合構造は、前記ブラケットまたは前記接合部材には、長孔（例えば、後述の長孔３６）が形成され、前記一方の接合片と前記一方のダンパーとは、当該長孔に挿通された固定部材（例えば、後述のロッド６０およびナット６１）で接合されることを特徴とする。
【００１３】
この発明によれば、ブラケットまたは接合部材に長孔を形成しておき、一方の接合片と一方のダンパーとを、この長孔に挿通された固定部材で接合した。よって、固定部材を緩めるだけで、長孔内で固定部材を移動させて、ダンパーのブラケットに対する相対位置や姿勢を容易に調整できる。
【発明の効果】
【００１４】
本発明によれば、一方のダンパーを接合片に接合し、他方のダンパーを連結片に接合する。したがって、ブラケットに対する接合部材の取り付け位置を調整することで、上部構造体の施工の進捗に伴ってブラケットの位置が変化しても、ダンパーを所望の姿勢に設置できる。
【図面の簡単な説明】
【００１５】
【図１】本発明の一実施形態に係るオイルダンパーの接合構造の縦断面図である。
【図２】図１のＡ−Ａ断面図である。
【図３】オイルダンパーの接合構造の分解斜視図である。
【発明を実施するための形態】
【００１６】
以下、本発明の一実施形態について、図面を参照しながら説明する。
図１は、本発明の一実施形態に係るオイルダンパーの接合構造１の縦断面図である。図２は、図１のＡ−Ａ断面図である。
【００１７】
オイルダンパーの接合構造１は、免震構造物としての免震建物１０に設けられる。
建物１０は、下部構造体２０と、この下部構造体２０の上に免震装置としての一対のオイルダンパー４０Ａ、４０Ｂを介して設けられた上部構造体３０と、を備える。
ここで、免震装置としては、一対のオイルダンパー４０Ａ、４０Ｂのほか、図示しない積層ゴムがある。
【００１８】
下部構造体２０は、構造体としての梁２１と、この梁２１の上に設けられた床スラブ２２と、梁２１から上方に略鉛直に延びる断面矩形状の２本の下部ブラケット２３Ａ、２３Ｂと、を備える。
上部構造体３０は、構造体としての梁３１と、この梁３１の上に設けられた床スラブ３２と、梁３１から下方に略鉛直に延びる断面矩形状の１本の上部ブラケット３３と、を備える。
【００１９】
上部ブラケット３３は、Ｈ鋼であり、一対のフランジ３４と、これら一対のフランジ３４同士を連結するウエブ３５と、を備える。
【００２０】
オイルダンパー４０Ａ、４０Ｂは、それぞれ、下部構造体２０および上部構造体３０に連結されている。このうち、オイルダンパー４０Ａは、図２中Ｘ方向に延びており、オイルダンパー４０Ｂは、図２中Ｙ方向に延びている。
すなわち、オイルダンパー４０Ａは、下部ブラケット２３Ａおよび上部ブラケット３３に連結されている。
また、オイルダンパー４０Ｂは、下部ブラケット２３Ｂおよび上部ブラケット３３に連結されている。
【００２１】
一対のオイルダンパー４０Ａ、４０Ｂの一端側は、上部ブラケット３３の先端つまり下端に、略コの字形状の接合部材５０を介して取り付けられており、一対のオイルダンパー４０Ａ、４０Ｂの他端側は、下部ブラケット２３Ａ、２３Ｂの先端つまり上端に取り付けられている。これにより、一対のオイルダンパー４０Ａ、４０Ｂは、１つの水平面内で互いに略直交して延びている。
【００２２】
オイルダンパー４０Ａ、４０Ｂは、それぞれ、上部ブラケット３３に固定されるシリンダ４１と、このシリンダ４１に進退可能に収容されてかつ下部ブラケット２３Ａ、２３Ｂに固定されるピストンロッド４２と、を備える。
【００２３】
ピストンロッド４２の先端には、鉛直方向を回転軸として回転可能なプレート４３が設けられており、このプレート４３は、下部ブラケット２３Ａ、２３Ｂに接合されている。
シリンダ４１内には、オイルが充填されている。また、このシリンダ４１の先端には、鉛直方向を回転軸として回転可能なプレート４４が設けられている。このプレート４３は、上部ブラケット３３に接合されている。
【００２４】
以上のオイルダンパー４０Ａ、４０Ｂによれば、地震動に伴ってピストンロッド４２が進退すると、このピストンロッド４２の進退運動に対して粘性体であるオイルが抵抗することで、下部構造体２０から上部構造体３０に伝わる地震動を減衰する。
また、オイルダンパー４０Ａ、４０Ｂが１つの水平面内に略直交して配置されることで、全ての水平方向の揺れに対応する。
【００２５】
図３は、オイルダンパーの接合構造１の分解斜視図である。
上部ブラケット３３の一対のフランジ３４には、それぞれ、長孔３６が４箇所に形成されている。
また、オイルダンパー４０Ａ、４０Ｂのプレート４４の四隅には、貫通孔４５が形成されている。
【００２６】
接合部材５０は、鋼製であり、上部ブラケット３３の互いに背中合わせとなる２つの側面つまりフランジ３４の表面に接合された一対の板状の接合片５１Ａ、５１Ｂと、これら一対の接合片５１Ａ、５１Ｂ同士を連結する板状の連結片５２と、を備える略コの字形状である。
【００２７】
接合片５１Ａ、５１Ｂには、それぞれ、貫通孔５３が４箇所に形成されている。
また、接合片５１Ａには、一方のオイルダンパー４０Ａのプレート４４が接合されている。具体的には、固定部材としてのロッド６０を、オイルダンパー４０Ａのプレート４４の貫通孔４５、接合片５１Ａの貫通孔５３、および、上部ブラケット３３のフランジ３４の長孔３６に挿通して、このロッド６０の両端に固定部材としてのナット６１を締め付ける。
【００２８】
また、ナット６１を緩めて、ロッド６０を上部ブラケット３３の長孔３６内で移動させることで、接合部材５０の上部ブラケット３３に対する相対位置や姿勢を調整できる。
【００２９】
連結片５２には、貫通孔５４が４箇所に形成されている。
また、連結片５２は、上部ブラケット３３のウエブ３５から離れており、この連結片５２には、他方のオイルダンパー４０Ｂのプレート４４が接合されている。具体的には、ボルト６２を、オイルダンパー４０Ｂのプレート４４の貫通孔４５、および、連結片５２の貫通孔５４に挿通して、このボルト６２の先端にナット６３を締め付ける。
【００３０】
本実施形態によれば、以下のような効果がある。
（１）オイルダンパー４０Ａを接合片５１Ａに接合し、オイルダンパー４０Ｂを連結片５２に接合する。したがって、上部ブラケット３３に対する接合部材５０の取り付け位置を調整することで、上部構造体３０の施工の進捗に伴って上部ブラケット３３の下部ブラケットに対する相対位置が変化しても、オイルダンパー４０Ａ、４０Ｂを所望の姿勢に設置できる。
【００３１】
（２）上部ブラケット３３に長孔３６を形成しておき、接合片５１Ａとオイルダンパー４０Ａとを、この長孔３６に挿通されたロッド６０およびナット６１で接合した。よって、ロッド６０の両端のナット６１を緩めるだけで、長孔３６内でロッド６０を移動させて、オイルダンパー４０Ａ、４０Ｂの上部ブラケットに対する相対位置や姿勢を容易に調整できる。
【００３２】
なお、本発明は前記実施形態に限定されるものではなく、本発明の目的を達成できる範囲での変形、改良等は本発明に含まれるものである。
【符号の説明】
【００３３】
１…オイルダンパーの接合構造
１０…建物
２０…下部構造体
２１…梁
２２…床スラブ
２３Ａ、２３Ｂ…下部ブラケット
３０…上部構造体
３１…梁
３２…床スラブ
３３…上部ブラケット
３４…フランジ
３５…ウエブ
３６…長孔
４０Ａ、４０Ｂ…オイルダンパー
４１…シリンダ
４２…ピストンロッド
４３、４４…プレート
４５…貫通孔
５０…接合部材
５１Ａ、５１Ｂ…接合片
５２…連結片
５３…貫通孔
５４…貫通孔
６０…ロッド（固定部材）
６１…ナット（固定部材）
６２…ボルト
６３…ナット
【図１】
2015090003.tif 000003
【図２】
2015090003.tif 000004
【図３】
2015090003.tif 000005